(57)【特許請求の範囲】
【請求項１】
データ通信チャネルにより複数の伝送装置をエリア別に監視制御しうるネットワークに用いられる前記伝送装置であって、
前記データ通信チャネルにより受信される信号をエリア属性設定に応じて選択的に終端処理するデータ通信チャネル終端手段と、
該データ通信チャネル終端手段で終端処理されない信号を自装置が属するエリア以外の他のエリアに属する伝送装置へパススルーするデータ通信チャネルパススルー手段とをそなえたことを特徴とする、伝送装置。
【請求項２】
該データ通信チャネルパススルー手段が、
前記終端処理されない信号をレイヤ２レベルまで終端処理してレイヤ３レベルの信号を抽出するレイヤ２終端処理部と、
該レイヤ２終端処理部で抽出された前記レイヤ３レベルの信号が特定の監視制御用信号であるかを識別するレイヤ３識別部と、
該レイヤ３識別部により前記レイヤ３レベルの信号が前記特定の監視制御用信号であると識別されれば、当該監視制御用信号を終端処理せずに前記他のエリアに属する伝送装置へのデータ通信チャネルによりパススルーするレイヤ３パススルー処理部とをそなえて構成されたことを特徴とする、請求項１記載の伝送装置。
【請求項３】
該データ通信チャネルパススルー手段が、
該レイヤ３識別部により前記レイヤ３レベルの信号が前記特定の監視制御信号以外の信号であると識別された場合には、当該レイヤ３レベルの信号を終端処理するレイヤ３終端処理部をさらにそなえたことを特徴とする、請求項２記載の伝送装置。
【請求項４】
複数の前記データ通信チャネルに対応して設けられた複数のポートと、
いずれかの前記ポート間を選択的に接続するデータ通信チャネルクロスコネクト処理部と、
該データ通信チャネルクロスコネクト処理部を制御して前記パススルーの設定を行なう制御手段とをさらにそなえたことを特徴とする、請求項１記載の伝送装置。
【請求項５】
データ通信チャネルにより複数の伝送装置をエリア別に監視制御しうるネットワークに用いられる前記伝送装置において、
前記データ通信チャネルにより受信される信号をエリア属性設定に応じて選択的に終端処理する終端処理過程と、
前記終端処理過程において終端処理されない信号を自装置が属するエリア以外の他のエリアに属する伝送装置へパススルーするデータ通信チャネルパススルー過程とを有することを特徴とする、データ通信チャネル処理方法。
【発明の詳細な説明】
【技術分野】
【０００１】
本発明は、伝送装置及びデータ通信チャネル処理方法に関し、例えば、ＳＯＮＥＴ（Synchronous Optical Network）やＳＤＨ（Synchronous Digital Hierarchy）方式に準拠したネットワークの管理（監視、制御）に用いて好適な、伝送装置及びデータ通信チャネル処理方法に関する。
【背景技術】
【０００２】
現在、Ｂ−ＩＳＤＮ（Broadband aspects of Integrated Services Digital Network）を実現するためのユーザ網インタフェースは、世界各国の既存のディジタルハイアラーキを統一する目的で、ＳＤＨ（Synchronous Digital Hierarchy）〔北米ではＳＯＮＥＴ（Synchronous Optical Network）と呼ばれる〕が国際規格として標準化されている。
そして、ＳＯＮＥＴ／ＳＤＨネットワーク構成の一例として、主信号を伝送するためのネットワークとは独立して、ネットワークの構成要素である伝送装置（NE：Network Element）を監視制御するためのデータを伝送するデータ通信ネットワーク（ＤＣＮ：Data Communication Network）をそなえたネットワーク構成がある。
【０００３】
このようなネットワークでは、ＳＯＮＥＴ／ＳＤＨネットワークに対してＮＭＳ（Network Management System）として機能する監視制御用端末が、ＤＣＮを介してＳＯＮＥＴ／ＳＤＨネットワークを構成しているＮＥと通信して、ＮＥ制御及び回線制御を行なうための監視制御用情報を例えばＯＳＩ（Open System Interconnection）パケットにより送受することにより、上記ＳＯＮＥＴ／ＳＤＨネットワークを構成するＮＥの監視及び制御（例えば、各ＮＥの動作設定や、アラーム信号検出時の回線制御）を行なっている。
【０００４】
ところで、上記ＤＣＮは、ＮＥ間で終端されているデータ通信チャネル（ＤＣＣ：Data Communication Channel）と、ＤＣＣを生成及び終端して、ＤＣＣに含まれる監視制御用パケット（ＯＳＩパケット）を終端し、さらに、監視制御用情報をＤＣＣ間でルーティングするＮＥとを有して構築されている。
また、ＤＣＣは、例えば図９に示す主信号インタフェース（主信号フレーム）上のＳＯＮＥＴオーバヘッド（Overhead Byte）におけるセクションオーバヘッド（ＳＯＨ）の一部（例えば、斜線部で示す３行目の３バイト）を使用し、ＳＯＮＥＴ／ＳＤＨネットワーク及び上記ＮＥを監視制御するためのＯＳＩパケット、及び、その他の用途で使用するＩＰパケットの伝送を行なう。例えば、ＴＬ１メッセージ、ＮＥのシステムソフトウェアファイル及びデータベース（ＤＢ）ファイル等がＯＳＩパケットにより伝送される。
【０００５】
なお、上記のＳＯＨは、中継再生局（リジェネレータノード）及び端局（多重／分離ノード）の双方において終端される情報であるが、ＳＯＮＥＴでは、他にラインオーバヘッド（ＬＯＨ）と呼ばれる、端局ノードにおいてのみ終端される情報も定義されている。当該ＬＯＨにも、ＤＣＣのためのバイトが定義されているが、中継局では終端されないため、現行のネットワーク管理のためには使用されていない。
【０００６】
上述したようなＳＯＮＥＴ／ＳＤＨ（以下、単にＳＯＮＥＴと表記する場合はＳＤＨの場合をも指すものとする）を用いたネットワークの一形態として、例えば、図１０に示すようなネットワーク形態がある。
この図１０に示すＳＯＮＥＴ／ＳＤＨネットワークは、1つのＤＣＮ１００内に、監視制御用端末（監視制御システム）１０１と、監視制御対象のＳＯＮＥＴ伝送装置、即ち、レベル２（Ｌ２）のＳＯＮＥＴ伝送装置（ＳＯＮＥＴ Ｌ２ ＮＥ）３００−Ｍ（区別しない場合は、単に「ＮＥ３００」と称する）と、レベル１（Ｌ１）のＳＯＮＥＴ伝送装置（ＳＯＮＥＴ Ｌ１ ＮＥ）４００−Ｍ−Ｎ（Ｍ＝０，１，２，・・・、Ｎ＝０，１，２，・・・）（以下、区別しない場合は、単に「ＮＥ４００」と称する）とをそなえて構成され、これらのＳＯＮＥＴ伝送装置３００，４００が監視制御用端末１０１によってエリア２００−０〜２００−Ｍ（以下、区別しない場合は、単に「エリア２００」と称する）別に管理（監視制御）されるようになっている。
【０００７】
即ち、レベル２のＮＥ３００−ｉ（ｉ＝０〜Ｍ）とレベル１のＮＥ４００−ｉ−ｊ（ｊ＝１〜Ｎ）とで、１つの監視制御対象のエリア２００−ｉ（＃ｉ）が構成され、これらのエリア２００単位で監視制御対象のＮＥグループが設定されているのである。なお、Ｌ２のＮＥ３００とは、エリア２００間に跨る通信のゲートウェイとなるＮＥを意味し、Ｌ１のＮＥ４００とは、それ以外のＮＥを意味している。
【０００８】
そして、ＮＭＳとしての上記監視制御用端末１０１が、エリア２００間に跨る通信のゲートウェイとなるＮＥ３００と、当該ＮＥ３００の配下に設けられたＮＥ４００とを階層的に管理することにより、ＤＣＮ１００をエリア２００別に階層管理することができる。なお、ＮＥ３００及びＮＥ４００がどのエリア２００に属するかは、例えば、当該ＮＥに設定される所定のパラメータにより決定され、この情報（エリア属性）も、例えば、ＤＣＣにより設定することが可能である。
【０００９】
さて、上記ＤＣＮ１００内に存在する全てのＮＥ（ＮＥ３００及びＮＥ４００）は、アドレス情報管理用メモリの容量内で全ＮＥのアドレス情報を管理して、全ＮＥ間での上記監視制御用情報のルーティングを可能としている。なお、上記アドレス情報管理用メモリは、各ＮＥ（ＮＥ３００及びＮＥ４００）にそなえられるものであり、前記アドレス情報やルーティングテーブルなどを記憶するためのものである。
【００１０】
そして、１つのＤＣＮ１００においては、最大Ｍ＋１（例えば２５０）個までのエリア２００を管理することができ、個々のエリア２００においては、ＮＥ３００とＮＥ４００とを合わせて最大Ｎ＋１（例えば３００）台まで管理することができるようになっている。
このような階層的なネットワーク管理手法により、ＮＥ４００は、エリア２００内での監視制御用情報（ＯＳＩパケット）のルーティングに必要なだけのアドレス情報を管理し、また、ＮＥ３００は、自局のエリア２００内及びエリア２００間のルーティングに必要なだけのアドレス情報を管理することで、ＤＣＮ１００内の全ＮＥ間での監視制御用情報の送受信を可能としている。
【００１１】
ところで、上記１つのＤＣＮ１００で管理可能なエリア数（管理上限エリア数：Ｍ＋１）、及び、１つのエリア２００内で管理可能なＮＥ数（管理上限ＮＥ数：Ｎ＋１）は、ＮＥ内に設けられる上記アドレス情報管理用メモリのメモリサイズと、ルーティング情報の検索速度により制限され、例えば、最新のＮＥでは、Ｍ＋１＝２５０、Ｎ＋１＝３００程度となっている。これは、ＮＥ３００については、アドレス情報を２５０個まで管理することが可能であり、ＮＥ４００については、エリア２００内のＮＥのアドレス情報を３００個まで管理することが可能であるということを意味している。
【００１２】
即ち、図１０に示すような階層的なネットワーク管理手法を用いることにより、最新のＳＯＮＥＴ伝送装置に設けられるアドレス情報管理用メモリのメモリサイズでは、３００（管理上限ＮＥ数）×２５０（管理上限エリア数）＝７５０００までのＮＥを1つのＤＣＮ１００で管理することを可能としている。
なお、後記特許文献１には、ＩＰネットワークにおいて、大量のデータを高速に転送するためのＡＴＭスイッチとデータ中継制御装置とを組み合わせたラベルスイッチング技術が開示されており、特定の条件のデータについてカットスルー転送を行なうことも開示されている。
【００１３】
また、後記特許文献２には、パケット伝送システムにおいて、ルーティング処理を大幅に縮小するためにパケットのマッピングに基づいて、当該パケットをカットスルーするかどうかを制御することが開示されている。
【特許文献１】特開２０００−９２０８５号公報
【特許文献２】特開２０００−２４４５６２号公報
【発明の開示】
【発明が解決しようとする課題】
【００１４】
上述した技術によれば、最新のＳＯＮＥＴ伝送装置では、１つのＤＣＮ１００内でエリア２００を２５０個まで管理することができ、さらに、上記エリア２００毎に３００個までのＮＥを管理することで、1つのＤＣＮ１００内で最大２５０×３００＝７５０００台のＮＥを管理することができるようになっているが、図１０に示すようなＬ１及びＬ２のＮＥが存在する階層的なＮＥ管理は複雑で必ずしも容易でないため、ユーザによっては敬遠されることがあり、また、ネットワーク構築初期における管理ＮＥ台数は比較的に少ないため、ユーザの要望により、ＤＣＮ１００においてエリア分割しない単一のエリア２００のみで、ＮＥを管理することも多い。
【００１５】
この場合、Ｎ＋１（例えば、ここでは３００）台までのＮＥを１つのＤＣＮ１００において管理することができるが、複数の既存ネットワークの結合や、ネットワークの拡大等に伴って、ネットワーク内のＮＥ数が増加した場合、ＤＣＮ１００内のＮＥ数が、管理上限ＮＥ数（ここでは、Ｎ＋１）を超えるケースがしばしば発生する。
ここで、ＤＣＮ１００内のＮＥ数が管理上限ＮＥ数を超えた場合のネットワーク状態について図１１を用いて説明する。
【００１６】
例えば、既存のリングネットワーク（リングＡ）を構成する４台のＮＥ４００−０−０，４００−０−１，４００−０−２，４００−０−３と、既存のリングネットワーク（リングＢ）を構成する４台のＮＥ４００−０−４，４００−０−５，４００−０−６，４００−０−７とが１つのエリア２００−０として監視制御システム１０１により管理されている状態において、上述したように、各ＮＥ４００は、エリア２００−０内の全ＮＥ４００のアドレス情報をテーブル管理している。
【００１７】
そして、エリア２００−０内で新たなＮＥ４００−０−（Ｎ＋１）の追加が行なわれた場合、隣接するＮＥ４００−０−３及び４００−０−４が、そのＮＥ４００−０−（Ｎ＋１）の追加を検出し、自局のアドレス情報管理用メモリ（ルーティングテーブル）を更新するとともに、エリア２００−０内の他のＮＥ４００にもその更新情報を通知する。これにより、エリア２００−０内の全ＮＥ４００のアドレス情報管理用メモリが更新される。
【００１８】
しかし、エリア２００−０内のＮＥ数が管理上限ＮＥ数であるＮに達している状態で新たなＮＥ４００−０−（Ｎ＋１）の追加が行なわれた場合、エリア２００−０内の各ＮＥ４００は、上記メモリサイズの制限により、追加されたＮＥ４００−０−（Ｎ＋１）のアドレス情報をアドレス情報管理用メモリに新規登録することができない。
したがって、追加されたＮＥ４００−０−（Ｎ＋１）との通信を行なうことができなくなり、さらには、当該ＮＥ４００−０−（Ｎ＋１）の先に接続されているＮＥ４００−０−３との通信を行なうことができなくなる。その結果、今まで監視制御対象であったリングネットワークＡを構成するＮＥ４００に対しても監視制御を実施できなくなるという現象が発生する。
【００１９】
また、既設のＤＣＮ１００が1つのエリア２００−０で構築されている場合、ＮＥ数増加に伴って図１０に示すようなエリア管理を適用するとなると、ＤＣＮアーキテクチャの再検討及び既設ＮＥのエリア再設定等が必要となるが、このような設定を実施する場合、その間、当該ＮＥ４００を経由する通信は断となるため、当該ＮＥ４００の先に接続されているＮＥ４００に対する監視制御を実施できなくなり、運用上、このような再設定を実施できないという課題がある。
【００２０】
このため、既設のネットワーク構成（ネットワークに存在している全てのＮＥ４００を１つのエリア２００−０で管理する構成）を大幅に変更することなく、管理上限ＮＥ数を越える分のＮＥ４００の追加を実現する方法が要求されている。
なお、上記特許文献１，２に開示されている方法は、ＤＣＮ１００におけるエリア管理を対象としたものではないので、上記のような課題を解決することはできない。
【００２１】
本発明は、上記のような課題に鑑み創案されたもので、例えば、ＳＯＮＥＴ／ＳＤＨネットワークにおいて、ユーザの要望するネットワーク管理形態あるいは既存のネットワーク管理形態に応じた監視制御用のデータ通信ネットワークの構築を実現できるようにすることを目的とする。
【課題を解決するための手段】
【００２２】
上記の目的を達成するため、本発明の一態様では、下記の伝送装置及びデータ通信チャネル処理方法を用いることを特徴としている。即ち、
（１）本発明の一態様に係る伝送装置は、データ通信チャネルにより複数の伝送装置をエリア別に監視制御しうるネットワークに用いられる前記伝送装置であって、前記データ通信チャネルにより受信される信号を当該信号のエリア属性に応じて選択的に終端処理するデータ通信チャネル終端手段と、前記データ通信チャネル終端手段で終端処理されない信号を自装置が属するエリア以外の他のエリアに属する伝送装置へパススルーするデータ通信チャネルパススルー手段とをそなえたことを特徴としている。
【００２３】
（２）ここで、前記データ通信チャネルパススルー手段は、前記終端処理されない信号をレイヤ２レベルまで終端処理してレイヤ３レベルの信号を抽出するレイヤ２終端処理部と、該レイヤ２終端処理部で抽出された前記レイヤ３レベルの信号が特定の監視制御用信号であるかを識別するレイヤ３識別部と、該レイヤ３識別部により前記レイヤ３レベルの信号が前記特定の監視制御用信号であると識別されれば、当該監視制御用信号を終端処理せずに前記他のエリアに属する伝送装置へのデータ通信チャネルによりパススルーするレイヤ３パススルー処理部とをそなえてもよい。
【００２４】
（３）また、前記データ通信チャネルパススルー手段は、上記レイヤ３識別部により前記レイヤ３レベルの信号が前記特定の監視制御信号以外の信号であると識別された場合には、当該レイヤ３レベルの信号を終端処理するレイヤ３終端処理部をさらにそなえてもよい。
（４）さらに、本伝送装置は、複数の前記データ通信チャネルに対応して設けられた複数のポートと、いずれかの前記ポート間を選択的に接続するデータ通信チャネルクロスコネクト処理部と、該データ通信チャネルクロスコネクト処理部を制御して前記パススルーの設定を行なう制御手段とをさらにそなえていてもよい。
【００２５】
（５）また、本発明の一態様に係るデータ通信チャネル処理方法は、データ通信チャネルにより複数の伝送装置をエリア別に監視制御しうるネットワークに用いられる前記伝送装置において、前記データ通信チャネルにより受信される信号をエリア属性設定に応じて選択的に終端処理する終端処理過程と、前記終端処理過程において終端処理されない信号を自装置が属するエリア以外の他のエリアに属する伝送装置へパススルーするデータ通信チャネルパススルー過程とを有することを特徴としている。
【発明の効果】
【００２６】
上記本発明によれば、少なくとも次のいずれかの効果ないし利点が得られる。
（１）上記の伝送装置において、データ通信チャネルにより受信される信号をエリア属性設定に応じて選択的に終端処理し、終端処理されない信号を自装置が属するエリア以外の他のエリアに属する伝送装置へパススルーするので、データ通信チャネルによる監視制御対象の伝送装置数が増加した場合でも、エリア属性設定により、１つのエリア内で管理可能な伝送装置数が最大数以下となるようにエリア分割して管理することが容易に行なえる。したがって、ユーザの要望するネットワーク管理形態に応じた、あるいは、既存のネットワーク管理形態に大幅な変更を加えることなく監視制御用のデータ通信ネットワークの構築を柔軟に実現することができる。
【００２７】
（２）また、前記終端処理されない信号をレイヤ２レベルまで終端処理してレイヤ３レベルの信号を抽出し、抽出した前記レイヤ３レベルの信号が特定の監視制御用信号であると識別されれば、当該監視制御用信号を終端処理せずに前記他の伝送装置へのデータ通信チャネルによりパススルーするようにすれば、レイヤ３の信号の中でも監視制御用信号以外の信号についての必要な終端処理は行ないつつ、監視制御用信号のパススルーを的確に実施することができる。したがって、既存のデータ通信チャネルによる伝送装置間で必要な通信の互換性を維持しつつ、柔軟なエリア分割によるデータ通信ネットワークの構築を実現することができる。
【００２８】
（３）そして、前記データ通信チャネルクロスコネクト処理部をそなえれば、いずれかのポート間を任意に前記パススルー設定することができるので、データ通信チャネルの含まれる主信号フレームの伝送速度や、前記主信号フレームの伝送するネットワーク形態によらず、任意のポートにおけるデータ通信チャネルに対して自由に前記パススルー設定を実施することができ、より柔軟なネットワーク管理形態を実現することができる。
【発明を実施するための最良の形態】
【００２９】
〔Ａ〕一実施形態の説明
図１は、本発明の一実施形態に係る監視制御ネットワークの構成を示す図である。
この図１に示すように、本実施形態に係る監視制御ネットワーク１は、複数のデータ通信ネットワーク｛ＤＣＮ＃Ｘ（Ｘ＝１，２，・・・）｝をそなえて構成されており、各ＤＣＮ＃Ｘは、それぞれ、複数のレベル１（Ｌ１）のＳＯＮＥＴ伝送装置（ＳＯＮＥＴ Ｌ１ ＮＥ）３−Ｘ−Ｙ（Ｙ＝１，２，・・・）（以下、区別しない場合は、単に、ＮＥ３ということがある）を単一のエリア＃０に属するＮＥ群として監視制御用端末（監視制御システム）２−Ｘ（以下、区別しない場合は、単に、「監視制御用端末２」ということがある）による管理（監視制御）対象として設定されている。つまり、監視制御ネットワーク１は、単一のエリア＃０に属する最大Ｙ（例えば、Ｙ＝３００）台のＮＥ３のグループを監視制御対象の単位とする複数のＤＣＮに分割されている。
【００３０】
ここで、監視制御用端末２は、それぞれのＤＣＮ＃Ｘ内のＮＥ３を監視制御するためのものであり、例えば、アラーム信号の検出及びアラーム制御や、各ＮＥ３の設定（エリア属性の設定、ルーティング設定など）を監視制御するためのものである。また、監視制御を行なうためのＯＳＩパケットを生成及び終端できるようにもなっている。
また、ＮＥ３は、ＳＯＮＥＴの主信号とともに、ＮＥ制御及び回線制御を行なうための監視制御パケット（ＯＳＩパケット）やデータ信号及びＩＰパケットを既述のＤＣＣにより互いに伝送するためのもので、図１では、上述のごとく複数（最大Ｙ台）のＮＥ３が相互に接続されることにより、各ＤＣＮ＃Ｘにおいて、前記エリア＃０をそれぞれ構築している様子が示されている。
【００３１】
つまり、本実施形態における監視制御ネットワーク１が、従来と異なる点は、監視制御ネットワーク１全体が、複数のＤＣＮ＃Ｘで構成されており、さらに、各ＤＣＮ＃Ｘが、単一のエリア＃０のみで構成されている点である。換言すれば、監視制御ネットワーク１を複数のＤＣＮ＃Ｘにより分割することで、各ＤＣＮ＃Ｘ内のＮＥ３の数をエリアにおける管理上限ＮＥ数（ここでは、例えばＹ＝３００）内に抑制しつつ、監視制御ネットワーク１内の総ＮＥ数を増加させることを可能としているのである。
【００３２】
なお、図２を用いて以下に説明するとおり、図１の各ＮＥ３−Ｘ−Ｙ間は、ユーザデータを転送するパスやＮＥが設置される地理的な状況等に応じて、リング状、スター状、メッシュ状や、これらを組み合わせたネットワーク形態となるように伝送路、例えば光ファイバにより接続されている。
ここで、各ＤＣＮ＃Ｘ間におけるＤＣＣの経路について示した図２を用いて本実施形態のＤＣＣ処理方法について説明する。
【００３３】
図２では、説明を簡単にするために、上記監視制御ネットワーク１が、３つのＤＣＮ（ＤＣＮ＃１，ＤＣＮ＃２、ＤＣＮ＃３）により構成されているものとする。
なお、ＤＣＮ＃１は、監視制御用端末２−１と、リング状に接続されたＮＥ３−１−１，３−１−２，３−１−３，３−１−４（リングネットワークＡ）とが接続されて構築されており、また、ＤＣＮ＃２は、監視制御用端末２−２と、リング状に接続されたＮＥ３−２−１，３−２−２（リングネットワークＢ）とが接続されて構築されている。さらに、ＤＣＮ＃３は、監視制御用端末２−３と、リング状に接続されたＮＥ３−３−１，３−３−２，３−３−３，３−３−４（リングネットワークＣ）とが接続されて構築されている。
【００３４】
そして、この図２に示すように、本実施形態のＤＣＣ処理方法では、ＮＥ３が、ＤＣＣにより受信される信号（ＯＳＩパケットとそれ以外のＩＰパケット等を含む信号であって、以下、ＤＣＣ信号ともいう）をエリア属性設定に応じて選択的に終端処理するようになっており、また、このとき終端処理されないＤＣＣ信号（具体的には、ＯＳＩパケット）を当該ＮＥ３が属するエリア（ＤＣＮ）以外の他のエリアに属するＮＥ３へパススルーできるようになっている。
【００３５】
例えば、ＤＣＮ＃１に着目すると、ＤＣＮ＃１において生成されたＤＣＣ信号（ＯＳＩパケット）は、各ＮＥ３−１−１，３−１−２，３−１−３，３−１−４では終端処理されるが、ＤＣＮ＃２で生成されたＯＳＩパケットは、ＮＥ３−１−４に対するエリア属性設定（パススルー設定）により、当該ＮＥ３−１−４においてＤＣＣから取り出された後、終端処理されずに、隣接するＤＣＮ＃２のＤＣＣにそのままトランスペアレント（透過的）にパススルーされる。
【００３６】
同様に、ＤＣＮ＃３に着目すると、ＤＣＮ＃３において生成されたＯＳＩパケットは、各ＮＥ３−３−１，３−３−２，３−３−３，３−３−４では終端処理されるが、ＤＣＮ＃２で生成されたＯＳＩパケットは、ＮＥ３−３−１に対するエリア属性設定により、当該ＮＥ３−３−１においてＤＣＣから取り出された後、終端処理されずに、隣接するＤＣＮ＃３のＤＣＣにそのままトランスペアレントにパススルーされる。
【００３７】
そして、ＤＣＮ＃２に着目すれば、ＤＣＮ＃２で生成されたＯＳＩパケットは、ＮＥ３−２−１，ＮＥ３−１−４，ＮＥ３−２−２，ＮＥ３−３−１を伝送されるようになってはいるが、ＤＣＮ＃２に配設されたＮＥ３−２−１及びＮＥ３−２−２においてのみ実際に終端処理されるようになっており、前記ＮＥ３−１−４及びＮＥ３−３−１においては、ＤＣＣから取り出された後、終端処理されることなく、隣接するＤＣＮ＃２及びＤＣＮ＃３の各ＤＣＣにそれぞれトランスペアレントにパススルーされる。
【００３８】
このように、各ＮＥ３を物理的に接続しながらも、各ＤＣＣにそれぞれ異なるエリア（ＤＣＮ）属性（パススルー設定）をもたせることにより、所望のＮＥ３を異なるＤＣＮに属するＮＥとして分割してエリア管理することが可能となり、１つの監視制御ネットワーク１内に複数のＤＣＮを構築することが可能となるのである。
このとき、パススルーされるＤＣＣ信号については、ルーティング処理を行なう必要が無く、当該信号に関するルーティング制御用のアドレス情報をアドレス情報管理用メモリ（図示省略）に記憶する必要も無いため、前記アドレス情報管理用メモリのメモリ使用量を節約することも可能となる。
【００３９】
次に、図３を用いてＤＣＣの終端処理及びパススルー処理方法について説明する。
図３では、説明を簡単にするために、ＤＣＮ＃１には、監視制御用端末２−１と、ＮＥ３−Ａ，３−Ｂ，３−Ｃ，３−Ｄ，３−Ｚとが属しており、また、同様に、ＤＣＮ＃２には、監視制御用端末２−２と、ＮＥ３−Ｅ，３−Ｆとが属し、さらに、ＤＣＮ＃３には、監視制御用端末２−３と、ＮＥ３−Ｇ，３−Ｈとが属しているものとする。なお、以下においても、ＮＥ３−Ａ〜３−Ｈ，３−Ｚを区別しない場合には、単に「ＮＥ３」と表記する。
【００４０】
そして、ＮＥ３−Ｚは、データ通信チャネル終端部４と、接続先のＮＥ−Ａ〜ＮＥ−Ｈに対応して、主信号フレーム〔ＯＣ（Optical Carrier）−ｎ：ｎ＝３，１２，４８，１９２等〕を送受する複数の光インタフェース（ＯＣ−ｎポート）５とを備えて構成されている。なお、図示は省略するが、他のＮＥ３についても同様の構成をそなえているものとする。
【００４１】
ここで、ＮＥ３−Ｚのデータ通信チャネル終端部（データ通信チャネル終端手段）４では、エリア属性設定によりＤＣＣパススルー設定されていないＯＣ−ｎポート５を通じて、即ち、監視制御対象エリアとして同じＤＣＮ＃１に属するＮＥ３−Ａ〜３−Ｄのいずれかから受信された主信号フレームのＳＯＨに含まれるＤＣＣ信号（ＯＳＩパケット、ＩＰパケットなど）について終端処理を行なう。
【００４２】
これに対して、エリア属性設定によりＤＣＣパススルー設定されているＯＣ−ｎポート５を通じて、即ち、自装置（ＮＥ−Ｚ）が属するＤＣＮ＃１とは異なる監視制御対象エリアとして分割して管理されるべきＤＣＮ＃２に属するＮＥ３−Ｅ及びＮＥ３−Ｆのいずれか（又は、ＤＣＮ＃３に属するＮＥ−Ｇ及びＮＥ−Ｈのいずれか）から受信された主信号フレームのＳＯＨに含まれるＤＣＣ信号については、原則として、自装置（ＮＥ−Ｚ）の属するＤＣＮ＃１以外の他のＤＣＮ＃２又は＃３に属するＮＥ３−Ｅ又はＮＥ３−Ｆ、もしくは、ＮＥ３−Ｇ又はＮＥ３−Ｈへとトランスペアレントにパススルーする。
【００４３】
ただし、ＤＣＣ信号には、既述のように、監視制御用の情報（信号）であるレイヤ３レベルのＯＳＩパケット以外に、隣接ＮＥ３間の接続確認等の他の用途（機能）のＩＰパケットが含まれている場合があり、このような場合には、当該ＩＰパケットについては既存の機能（通信）との互換性を維持すべく終端処理し、ＯＳＩパケットのみをパススルーする必要がある。
【００４４】
そこで、ＤＣＣにより受信した信号をＬＡＰＤリンク（レイヤ２）レベルまで終端して、レイヤ３レベルのパケットを取り出し、当該パケットが、ＯＳＩパケット（特定の監視制御用信号）かＩＰパケットかを識別し、ＯＳＩパケットでなければ、ＤＣＣパススルー設定されていないＤＣＣ信号と同様にＤＣＣ終端部４において終端処理を行ない、ＯＳＩパケットであれば、前記パススルーを行なう。
【００４５】
これにより、例えば、ＤＣＮ＃２に属するＤＣＣにより伝送される信号は、図４に示すように、ＤＣＣ終端ノードであるＮＥ３−Ｅ（又はＮＥ３−Ｇ）において、物理レイヤであるＳＤＣＣ（SONET Section Data Communications Channel）（レイヤ１）レベル，データリンクレイヤであるＬＡＰＤ（Link Access Procedure on D channel）リンク（レイヤ２）レベル及びネットワークレイヤであるＩＳ−ＩＳ（Intermediate System to Intermediate System）（レイヤ３）レベルのうちレイヤ３レベルまで終端された後、ＤＣＣパススルーノードであるＮＥ３−Ｚにおいて、ＬＡＰＤ（Data Link）リンク（レイヤ２）レベルまで終端されるに留まり、ＩＳ−ＩＳ（Network）（レイヤ３）レベルまで終端されることなく、ＤＣＣ終端ノードであるＮＥ３−Ｆへとパススルーされる。そして、当該信号（ＯＳＩパケット）は、接続先のＤＣＣ終端ノードであるＮＥ３−Ｆ（又はＮＥ３−Ｈ）において、ＩＳ−ＩＳ（Network）（レイヤ３）レベルまで終端される。
【００４６】
以上のようなパススルー処理を実現するために、本実施形態のＮＥ３は、その要部構成に着目すると、例えば図５に示すように、物理レイヤ（レイヤ１）終端処理部６と、主信号／ＳＯＮＥＴオーバヘッド分離処理部７と、ＬＡＰＤ（レイヤ２）終端／レイヤ３パケット識別部８と、レイヤ３パケットクロスコネクト部９と、レイヤ３パケット終端処理部１０と、主信号クロスコネクト部１１と、制御部１２とをそなえて構成されている。なお、上記の物理レイヤ（レイヤ１）終端処理部６，主信号／ＳＯＮＥＴオーバヘッド分離処理部７及びＬＡＰＤ（レイヤ２）終端／レイヤ３パケット識別部８は、前記のＯＣ−ｎポート（つまり、異なる主信号フレームに含まれるＤＣＣ）５に対応して設けられており、この図５の例では、ＯＣ−１９２，ＯＣ−４８，ＯＣ−１２及びＯＣ−３の４種の異なる主信号フレーム（伝送速度）に対応して、４組設けられている。もっとも、当該組数はこれに限定されず、装備されるＯＣ−ｎポート５の数に応じて適宜変更可能である。
【００４７】
ここで、レイヤ１終端処理部６は、ＯＣ−ｎのＳＯＮＥＴ信号の物理層（レイヤ１）を終端処理するもので、光−電気（ＯＥ）変換及び電気−光（ＥＯ）変換の機能を具備している。
また、主信号／ＳＯＮＥＴオーバヘッド分離処理部７は、前記レイヤ１終端処理部６において光−電気変換された受信信号を、オーバヘッドと主信号とに分離する一方、主信号クロスコネクト部１１にてクロスコネクトされた主信号にＳＯＮＥＴオーバヘッド（ＳＯＨ，ＬＯＨ）を付加してＳＯＮＥＴ信号（送信信号）を生成するものである。なお、分離された受信主信号は主信号クロスコネクト部１１に入力され、残りのオーバヘッドは後段のレイヤ２終端／レイヤ３パケット識別部８に入力される。
【００４８】
レイヤ２終端／レイヤ３パケット識別部（レイヤ２終端処理部，レイヤ３識別部）８は、上記分離されたオーバヘッドをＬＡＰＤレイヤ（レイヤ２）レベルまで終端処理してＳＯＨに含まれているＤＣＣ信号（レイヤ３レベルの信号）を抽出し、さらに、当該ＤＣＣ信号がレイヤ３パケットのＯＳＩパケットかＩＰパケットかを識別する（ただし、レイヤ３レベルでの終端処理は行なわない）もので、ＯＳＩパケットはレイヤ３パケットクロスコネクト部９へ、ＩＰパケットはレイヤ３パケット終端処理部１０へ入力されるようになっている。
【００４９】
レイヤ３パケットクロスコネクト部（レイヤ３パススルー処理部及びデータ通信チャネルクロスコネクト処理部）９は、制御部１２からのパススルー設定（エリア属性設定）に応じて任意の前記ＯＣ−ｎ間を選択的に接続して、前記レイヤ２終端／レイヤ３パケット識別部８により受信ＤＣＣ信号がＯＳＩパケットであると識別された場合に入力されてくるＯＳＩパケットを終端処理しないまま、パススルー設定されている接続先のＯＣ−ｎポート５へクロスコネクトするものである。
【００５０】
レイヤ３パケット終端処理部（レイヤ３終端処理部）１０は、レイヤ２終端／レイヤ３パケット識別部８により識別されたＯＳＩパケット以外のＩＰパケットを終端処理するものである。つまり、レイヤ２終端／レイヤ３パケット識別部８及びレイヤ３パケット終端処理部１０は、前記ＤＣＣにより受信される信号をエリア属性設定に応じて選択的に終端処理する前記ＤＣＣ終端部４（データ通信チャネル終端手段）として機能するものであり、また、レイヤ２終端／レイヤ３パケット識別部８及びレイヤ３パケットクロスコネクト部９は、レイヤ２終端／レイヤ３パケット識別部８及びレイヤ３パケット終端処理部１０で終端処理されない信号（ＯＳＩパケット）を自ＮＥ３が属するエリア以外の他のエリアに属するＮＥ３へパススルーするデータ通信チャネルパススルー手段として機能するものである。
【００５１】
主信号クロスコネクト部１１は、主信号／オーバヘッドバイト分離処理部７により分離された主信号について主信号経路設定に応じたクロスコネクト処理を行なうものである。
そして、制御部（制御手段、パススルー設定情報出力部）１２は、監視制御用端末２から受信される制御コマンドに基づいて、自ＮＥ３についての各種の制御、設定処理を行なうためのものであり、例えば、前記レイヤ３パケットクロスコネクト部９内の信号経路を制御して前記ＤＣＣをパススルーする設定を行なったり、ＤＣＣパススルー設定されたＯＣ−ｎポート５に関する情報と、その接続先のＮＥ３及びＯＣ−ｎポート５に関する情報（つまり、ＤＣＣの接続情報）とを、前記監視制御用端末２に出力してそのモニタなどの表示装置（図示省略）に表示したりすることができるようになっている。
【００５２】
以上のように、本実施形態のＮＥ３は、レイヤ３パケットクロスコネクト部９を装備することで、前記制御コマンドにより、図６に示すごとく、同一伝送速度（ビットレート）間のポート５間、異なるビットレートのポート５間のパススルー設定や、図７に示すごとく、同一リング上のＮＥ３のポート５間、異なるリング（protection group）上のＮＥ３のポート５間のパススルー設定など、前記ビットレートやネットワーク形態によらず、任意のポート５におけるＤＣＣに対して自由に前記パススルー設定を実施することができ、柔軟なネットワーク管理形態を実現することができる。
【００５３】
以下、上述のごとく構成された本実施形態の伝送装置での動作について、図８に示すフローチャートを用いて説明する。
まず、ＮＥ３のＯＣ−ｎポート（入力用ポート）５においてＳＯＮＥＴ信号（光信号）を受信し、受信された光信号は、レイヤ１終端処理部６に入力されて物理層（レイヤ１）が終端処理されるとともに、光−電気（ＯＥ）変換処理が施される（ステップＳ１）。
【００５４】
そして、レイヤ１終端処理部６から出力されたＳＯＮＥＴ信号（電気信号）は、主信号／ＳＯＮＥＴオーバヘッド分離処理部７に入力され、ＳＯＮＥＴオーバヘッドと主信号とに分離され（ステップＳ２）、分離された受信主信号は主信号クロスコネクト部１１に入力されるとともに、残りのオーバヘッドは後段のレイヤ２終端／レイヤ３パケット識別部８に入力される。ここで、主信号クロスコネクト部１１に入力された受信主信号は、主信号経路設定に応じたクロスコネクト処理を施される。
【００５５】
一方、上記分離されたＳＯＮＥＴオーバヘッドは、レイヤ２終端／レイヤ３パケット識別部８により、ＬＡＰＤレイヤ（レイヤ２）レベルまで終端処理されてＳＯＨに含まれるＤＣＣ信号が抽出され、さらに、当該ＤＣＣ信号がレイヤ３パケットのＯＳＩパケットかＩＰパケットかが識別される（ステップＳ３）。そして、当該ＤＣＣ信号がＯＳＩパケットである場合は、当該ＯＳＩパケットは、レイヤ３パケットクロスコネクト部９へ入力され、また、当該ＤＣＣ信号がＩＰパケットである場合は、当該ＩＰパケットは、レイヤ３パケット終端処理部１０へ入力される。ここで、前記のＩＰパケットは、レイヤ３パケット終端処理部１０により終端処理を施される。
【００５６】
次に、前記のＯＳＩパケットは、レイヤ３パケットクロスコネクト部９により、当該ＯＳＩパケットが、制御部１２によりパススルー設定（エリア属性設定）されている場合は、前記パススルー設定に応じて任意のＯＣ−ｎポート５間を選択的に接続して、終端処理を施されないまま、パススルー設定されている接続先のＯＣ−ｎポート５へクロスコネクトされ、そうでないＯＳＩパケットは、レイヤ３パケット終端処理部１０に入力されて終端処理を施される（ステップＳ４）。
【００５７】
そして、前記パススルー設定されたＯＳＩパケットは、接続先のＯＣ−ｎポート５に対応するレイヤ２終端／レイヤ３パケット識別部８に入力されて、ＬＡＰＤリンク（レイヤ２）オーバヘッドを付加され、ＤＣＣ信号として前記接続先のＯＣ−ｎポート５に対応する主信号／ＳＯＮＥＴオーバヘッド分離処理部７へ送出される（ステップＳ５）。
前記ＤＣＣ信号は、主信号／ＳＯＮＥＴオーバヘッド分離処理部７により、前記主信号クロスコネクト部１１においてクロスコネクトされた主信号と結合処理を施され、ＳＯＮＥＴ信号（電気信号）として前記接続先のＯＣ−ｎポート５に対応するレイヤ１終端処理部６へ送出される（ステップＳ６）。
【００５８】
次いで、前記ＳＯＮＥＴ信号（電気信号）は、前記レイヤ１終端処理部６により、電気−光（ＥＯ）変換処理を施され（ステップＳ７）、ＳＯＮＥＴ信号（光信号）としてクロスコネクト（パススルー）先のＯＣ−ｎポート（出力用ポート）５へと送出される。
これにより、レイヤ３の信号の中でもＯＳＩパケット以外の信号（主信号、ＩＰパケットなど）についての必要な終端処理は行ないつつ、ＯＳＩパケットのパススルーを的確に実施することができる。したがって、既存のＤＣＣによるＮＥ３間で必要な通信の互換性を維持しつつ、柔軟なエリア分割による監視制御ネットワーク１の構築を実現することができる。また、ＤＣＣの含まれる主信号フレームの伝送速度（ビットレート）や、前記主信号フレームの伝送するネットワーク形態によらず、任意のＯＣ−ｎポート５におけるＤＣＣに対して自由に前記パススルー設定を実施することができ、より柔軟なネットワーク管理形態を実現することができる。
【００５９】
したがって、ＤＣＣによる監視制御対象のＮＥ３数が増加した場合でも、エリア属性設定により、１つのエリア内で管理可能なＮＥ３数が最大数以下となるようにエリア分割して管理することが容易に行なえる。その結果、ユーザの要望するネットワーク管理形態に応じた、あるいは、既存のネットワーク管理形態に大幅な変更を加えることなく監視制御用のＯＳＩパケットに係る通信ネットワークの構築を柔軟に実現することができる。
【００６０】
以上、本発明の一実施形態について詳細に説明したが、本発明は上記の各実施形態に限定されるものではなく、本発明の趣旨を逸脱しない範囲において任意に変形して実施することができる。
〔Ｂ〕付記
（付記１）
データ通信チャネルにより複数の伝送装置をエリア別に監視制御しうるネットワークに用いられる前記伝送装置であって、
前記データ通信チャネルにより受信される信号をエリア属性設定に応じて選択的に終端処理するデータ通信チャネル終端手段と、
該データ通信チャネル終端部で終端処理されない信号を自装置が属するエリア以外の他のエリアに属する伝送装置へパススルーするデータ通信チャネルパススルー手段とをそなえたことを特徴とする、伝送装置。
【００６１】
（付記２）
該データ通信チャネルパススルー手段が、
前記終端処理されない信号をレイヤ２レベルまで終端処理してレイヤ３レベルの信号を抽出するレイヤ２終端処理部と、
該レイヤ２終端処理部で抽出された前記レイヤ３レベルの信号が特定の監視制御用信号であるかを識別するレイヤ３識別部と、
該レイヤ３識別部により前記レイヤ３レベルの信号が前記特定の監視制御用信号であると識別されれば、当該監視制御用信号を終端処理せずに前記他の伝送装置へのデータ通信チャネルによりパススルーするレイヤ３パススルー処理部とをそなえて構成されたことを特徴とする、付記１記載の伝送装置。
【００６２】
（付記３）
該データ通信チャネルパススルー手段が、
該レイヤ３識別部により前記レイヤ３レベルの信号が前記レイヤ３レベルの監視制御信号以外の信号であると識別された場合には、当該レイヤ３レベルの信号を終端処理するレイヤ３終端処理部をさらにそなえたことを特徴とする、付記２記載の伝送装置。
【００６３】
（付記４）
複数の前記データ通信チャネルに対応して設けられた複数のポートと、
いずれかの前記ポート間を選択的に接続するデータ通信チャネルクロスコネクト処理部と、
該データ通信チャネルクロスコネクト処理部を制御して前記パススルーの設定を行なう制御手段とをさらにそなえたことを特徴とする、付記１記載の伝送装置。
【００６４】
（付記５）
前記複数のポートが、前記データ通信チャネルの信号が含まれる主信号フレームの伝送速度別に設けられていることを特徴とする、付記４記載の伝送装置。
（付記６）
前記複数のポートが、前記データ通信チャネルの信号の含まれる主信号フレームが伝送するネットワークの形態別に設けられていることを特徴とする、付記４記載の伝送装置。
【００６５】
（付記７）
該制御手段が、
前記パススルーに設定したポートとその接続先に関する情報を出力するパススルー設定情報出力部をそなえて構成されたことを特徴とする、付記４〜６のいずれか１項に記載の伝送装置。
【００６６】
（付記８）
データ通信チャネルにより複数の伝送装置をエリア別に監視制御しうるネットワークに用いられる前記伝送装置において、
前記データ通信チャネルにより受信される信号をエリア属性設定に応じて選択的に終端処理する終端処理過程と、
前記終端処理過程において終端処理されない信号を自装置が属するエリア以外の他のエリアに属する伝送装置へパススルーするデータ通信チャネルパススルー過程とを有することを特徴とする、データ通信チャネル処理方法。
【００６７】
（付記９）
前記データ通信チャネルパススルー過程が、
前記終端処理過程で終端処理されない信号をレイヤ２レベルまで終端処理してレイヤ３レベルの信号を抽出するレイヤ２終端処理過程と、
前記レイヤ２終端処理過程で抽出された前記レイヤ３レベルの信号が特定の監視制御用信号であるかを識別するレイヤ３識別過程と、
前記レイヤ３識別過程により前記レイヤ３レベルの信号が前記特定の監視制御用信号であると識別されれば、当該監視制御用信号を終端処理せずに前記他の伝送装置へのデータ通信チャネルによりパススルーするレイヤ３パススルー処理過程とを含むことを特徴とする、付記８記載のデータ通信チャネル処理方法。
【００６８】
（付記１０）
該データ通信チャネルパススルー過程が、
前記レイヤ３識別過程により前記レイヤ３レベルの信号が前記レイヤ３レベルの監視制御信号以外の信号であると識別された場合には、当該レイヤ３レベルの信号を終端処理するレイヤ３終端処理過程をさらに含むことを特徴とする、付記９記載のデータ通信チャネル処理方法。
【図面の簡単な説明】
【００６９】
【図１】本発明の一実施形態に係る監視制御ネットワークの構成を示すブロック図である。
【図２】上記監視制御ネットワークにおけるＤＣＣの経路を示す図である。
【図３】本発明の一実施形態に係る伝送装置の構成を示すブロック図である。
【図４】図３に示す伝送装置の要部詳細構成を示すブロック図である。
【図５】上記伝送装置の機能について説明するためのブロック図である。
【図６】本発明の一実施形態に係る伝送装置の接続構成の一例を示すブロック図である。
【図７】本発明の一実施形態に係る伝送装置の接続構成の一例を示すブロック図である。
【図８】図４に示す伝送装置における動作を説明するためのフローチャートである。
【図９】ＳＯＮＥＴ／ＳＤＨネットワークにおける主信号インタフェース上のＳＯＮＥＴオーバヘッドバイトを示す図である。
【図１０】従来の監視制御ネットワークの構成を示すブロック図である。
【図１１】従来の監視制御ネットワークにおける課題を説明するための図である。
【符号の説明】
【００７０】
１  監視制御ネットワーク
２，２−Ｘ（Ｘ＝１，２，・・・）  監視制御用端末（監視制御システム）
３，３−Ｘ−Ｙ（Ｙ＝１，２，・・・），３−Ａ，３−Ｂ，３−Ｃ，３−Ｄ，３−Ｅ，３−Ｆ，３−Ｇ，３−Ｈ，３−Ｉ，３−Ｊ，３−Ｋ，３−Ｌ，３−Ｚ  ＮＥ（ネットワークエレメント）
４  データ通信チャネル終端部
５  光インタフェース（ＯＣ−ｎポート）
６  物理レイヤ（レイヤ１）終端処理部
７  主信号／ＳＯＮＥＴオーバヘッド分離処理部
８  ＬＡＰＤ（レイヤ２）終端／レイヤ３パケット識別部
９  レイヤ３パケットクロスコネクト部
１０  レイヤ３パケット終端処理部
１１  主信号クロスコネクト部
１２  制御部
【図１】
0004674181.tif 000002
【図２】
0004674181.tif 000003
【図３】
0004674181.tif 000004
【図４】
0004674181.tif 000005
【図５】
0004674181.tif 000006
【図６】
0004674181.tif 000007
【図７】
0004674181.tif 000008
【図８】
0004674181.tif 000009
【図９】
0004674181.tif 000010
【図１０】
0004674181.tif 000011
【図１１】
0004674181.tif 000012